(57)【要約】【課題】  形状変換アダプタを用いて複数の種類のメモリーカードのホスト装置で利用できる統合的なメモリーカードを作成する。【解決手段】  複数の種類のメモリーカードのためのインターフェース部と、夫々の種類のメモリーカードのためのインターフェース部に対応するインターフェースコントローラと、ひとつのインターフェースコントローラを選択するスイッチを有することを特徴とする不揮発性メモリーカードを提供する。【選択図】図２
2007011708.tif 000002
【特許請求の範囲】
【請求項１】
複数の種類のメモリーカードのためのインターフェース部と、
夫々の種類のメモリーカードのためのインターフェース部に対応するインターフェースコントローラと、
ひとつのインターフェースコントローラを選択するスイッチを有することを特徴とする不揮発性メモリーカード。
【請求項２】
複数の種類のインターフェース部の少なくとも一つの設置部位が、メモリーカード本体表面より窪んで設けられていることを特徴とする請求項１に記載の不揮発性メモリーカード。
【請求項３】
複数の種類のインターフェース部の少なくとも一つの設置部位及びそこから端部へ連なる部位が、メモリーカード本体表面より窪んで設けられていることを特徴とする請求項１に記載の不揮発性メモリーカード。
【請求項４】
複数の種類のインターフェース部の少なくとも一つのための保護板を有し、
保護板が手動でスライドされることにより、上記インターフェース部が露出され、若しくは隠蔽されることを特徴とする請求項２又は３に記載の不揮発性メモリーカード。
【請求項５】
複数の種類のインターフェース部の少なくとも一つのための保護板を有し、
保護板は、
メモリーカード本体が形状変換アダプタに挿入されたときに形状変換アダプタの内部構造により、スライドされて上記インターフェースを露出せしめ、
メモリーカード本体が形状変換アダプタに挿入されていないときに保護板自身及びメモリーカード本体上面の構造により、上記インターフェースを隠蔽するように付勢されることを特徴とする請求項２又は３に記載の不揮発性メモリーカード。
【請求項６】
形状変換アダプタ利用時にてメモリーカード本体を出し入れするための爪鉤用の凹みを表面に有することを特徴とする請求項２又は３に記載の不揮発性メモリーカード。
【請求項７】
請求項６に記載の不揮発性メモリーカードを挿入時に爪鉤用の凹みを露出させる切り込みを有する形状変換アダプタ。
【請求項８】
請求項１に記載の不揮発性メモリーカードのスイッチを制御するスイッチ選択器を有することを特徴とする形状変換アダプタ。
【請求項９】
ある種類のメモリーカード用のインターフェース部の着脱を助けるための爪鉤用突起を、受け入れる切り込みを有する請求項１に記載の不揮発性メモリーカードにおける別の種類のメモリーカード用のインターフェース部のための形状変換アダプタ。
【請求項１０】
請求項９に記載の形状変換アダプタの切り込みに応じて、爪鉤用突起が形成されていることを特徴とする請求項１に記載の不揮発性メモリーカード。
【請求項１１】
爪鉤用突起の近傍に、該爪鉤用突起を利用する着脱を補助する凹みが設けられていることを特徴とする請求項１０に記載の不揮発性メモリーカード。
【請求項１２】
形状変換アダプタとの相対的な位置ずれを防止するためのストッパー用の凹みが、形状変換アダプタの内側面と接する端部分に形成されることを特徴とする請求項１に記載の不揮発性メモリーカード。
【請求項１３】
請求項１２に記載の不揮発性メモリーカードとの相対的な位置ずれを防止するためのストッパーが、メモリーカード本体の凹みに対応して、内側面に形成されることを特徴とする形状変換アダプタ。
【発明の詳細な説明】
【技術分野】
【０００１】
本発明は、不揮発性メモリーカード及び形状変換アダプタに関する。
【背景技術】
【０００２】
携帯電話、デジタルカメラ、ＰＣ（パーソナルコンピュータ）、及びプリンタ等のデジタル機器における情報伝達手段として、フラッシュメモリー等を搭載した不揮発性メモリーカードが利用されている。
【０００３】
代表的なものとして、マルチメディアカード（Ｍｕｌｔｉ  Ｍｅｄｉａ  Ｃａｒｄ（登録商標））、ＳＤカード（ＳＤ  Ｃａｒｄ（登録商標））、ｍｉｎｉＳＤカード（ｍｉｎｉＳＤ  ｃａｒｄ（登録商標））、エックスディピクチャーカード（ｘＤ−Ｐｉｃｔｕｒｅ  Ｃａｒｄ（登録商標））、メモリースティック（ＭｅｍｏｒｙＳｔｉｃｋ（登録商標））、コンパクトフラッシュ（登録商標）（Ｃｏｍｐａｃｔ  Ｆｌａｓｈ（登録商標））、マイクロＳＤ（ｍｉｃｒｏＳＤ（登録商標））、トランスフラッシュ（ＴｒａｎｓＦｌａｓｈ（登録商標））、メモリースティックプロ（ＭｅｍｏｒｙＳｔｉｃｋＰｒｏ（登録商標））、メモリースティックデュオ（ＭｅｍｏｒｙＳｔｉｃｋＤｕｏ（登録商標））、メモリースティックプロデュオ（ＭｅｍｏｒｙＳｔｉｃｋＰｒｏＤｕｏ（登録商標））などが挙げられる。
【０００４】
しかしながら、不揮発性メモリーカードは、制御方法、通信方法、電気的特性、及びカード挿入台形状等において相互に互換性がなく、ある不揮発性メモリーカードは別の不揮発性メモリーカード用に用意されたカード挿入台では使用できない。
【０００５】
詳細に述べると、先ず、従来の不揮発性メモリーカードは、１つの不揮発性メモリーカードコントローラしか備えておらず、異なる規格の不揮発性メモリーカードホストコントローラとの互換性がない。従って、従来の不揮発性メモリーカードは、不揮発性メモリーカードコントローラ切替スイッチというものをそもそも備えていない。また、従来の不揮発性メモリーカードは、いずれか一種のインターフェースしか備えていない。
【０００６】
また、ある規格の不揮発性メモリーカードのホスト装置に備わるカード挿入台は、一つの形状の不揮発性メモリーカードしか挿入することができない。
【０００７】
そこで、形状変換アダプタを使用することによって不揮発性メモリーカードの形状の互換性を確保し、ある規格の不揮発性メモリーカードホスト装置のカード挿入台に挿入できたとしても、制御方法、通信方法、電気的特性等の規格が異なれば、不揮発性メモリーカードは不揮発性メモリーカードホスト装置との間でデータ伝送をすることはできない。
【０００８】
なお、特許文献１は、複数の種類のメモリーカードを排他的に装着できるアダプタを開示する。そのアダプタにはメモリーカードを選択する装置は搭載されていない。特許文献２は、ボタン式のカード取り出し機構に関する内容を開示する。特許文献３は、小型メモリーカードのインターフェース変換に関する内容を開示する。特許文献４は、ＰＣカードにおけるカード検出およびカード認識に関する内容を開示する。更に、特許文献５は、メモリーカードアダプタに関する特許であるが、メモリーカードのメモリーカードコントローラを切り替える装置は有しない。
【特許文献１】特開２００２−３２７１５公報
【特許文献２】特開２００３−１９６６０３公報
【特許文献３】特開２００２−７３５２２公報
【特許文献４】特開２００３−１８６５８２公報
【特許文献５】実登３１２３９６公報
【発明の開示】
【発明が解決しようとする課題】
【０００９】
本発明は、形状変換アダプタを用いて、複数の種類のメモリーカードのホスト装置で利用できる統合的なメモリーカードを作成することを目的とする。
【課題を解決するための手段】
【００１０】
本発明は、上記の目的を達成するためになされたものである。本発明に係る請求項１に記載の不揮発性メモリーカードは、
複数の種類のメモリーカードのためのインターフェース部と、
夫々の種類のメモリーカードのためのインターフェース部に対応するインターフェースコントローラと、
ひとつのインターフェースコントローラを選択するスイッチを有することを特徴とする。
【００１１】
本発明に係る請求項２に記載の不揮発性メモリーカードは、
複数の種類のインターフェース部の少なくとも一つの設置部位が、メモリーカード本体表面より窪んで設けられていることを特徴とする請求項１に記載の不揮発性メモリーカードである。
【００１２】
本発明に係る請求項３に記載の不揮発性メモリーカードは、
複数の種類のインターフェース部の少なくとも一つの設置部位及びそこから端部へ連なる部位が、メモリーカード本体表面より窪んで設けられていることを特徴とする請求項１に記載の不揮発性メモリーカードである。
【００１３】
本発明に係る請求項４に記載の不揮発性メモリーカードは、
複数の種類のインターフェース部の少なくとも一つのための保護板を有し、
保護板が手動でスライドされることにより、上記インターフェース部が露出され、若しくは隠蔽されることを特徴とする請求項２又は３に記載の不揮発性メモリーカードである。
【００１４】
本発明に係る請求項５に記載の不揮発性メモリーカードは、
複数の種類のインターフェース部の少なくとも一つのための保護板を有し、
保護板は、
メモリーカード本体が形状変換アダプタに挿入されたときに形状変換アダプタの内部構造により、スライドされて上記インターフェースを露出せしめ、
メモリーカード本体が形状変換アダプタに挿入されていないときに保護板自身及びメモリーカード本体上面の構造により、上記インターフェースを隠蔽するように付勢されることを特徴とする請求項２又は３に記載の不揮発性メモリーカードである
【００１５】
本発明に係る請求項６に記載の不揮発性メモリーカードは、
形状変換アダプタ利用時にてメモリーカード本体を出し入れするための爪鉤用の凹みを表面に有することを特徴とする請求項２又は３に記載の不揮発性メモリーカードである。
【００１６】
本発明に係る請求項７に記載の形状変換アダプタは、
請求項６に記載の不揮発性メモリーカードを挿入時に爪鉤用の凹みを露出させる切り込みを有する形状変換アダプタである。
【００１７】
本発明に係る請求項８に記載の形状変換アダプタは、
請求項１に記載の不揮発性メモリーカードのスイッチを制御するスイッチ選択器を有することを特徴とする形状変換アダプタである。
【００１８】
本発明に係る請求項９に記載の形状変換アダプタは、
ある種類のメモリーカード用のインターフェース部の着脱を助けるための爪鉤用突起を、受け入れる切り込みを有する請求項１に記載の不揮発性メモリーカードにおける別の種類のメモリーカード用のインターフェース部のための形状変換アダプタである。
【００１９】
本発明に係る請求項１０に記載の不揮発性メモリーカードは、
請求項９に記載の形状変換アダプタの切り込みに応じて、爪鉤用突起が形成されていることを特徴とする請求項１に記載の不揮発性メモリーカードである。
【００２０】
本発明に係る請求項１１に記載の不揮発性メモリーカードは、
爪鉤用突起の近傍に、該爪鉤用突起を利用する着脱を補助する凹みが設けられていることを特徴とする請求項１０に記載の不揮発性メモリーカードである。
【００２１】
本発明に係る請求項１２に記載の不揮発性メモリーカードは、
形状変換アダプタとの相対的な位置ずれを防止するためのストッパー用の凹みが、形状変換アダプタの内側面と接する端部分に形成されることを特徴とする請求項１に記載の不揮発性メモリーカードである。
【００２２】
本発明に係る請求項１３に記載の形状変換アダプタは、
請求項１２に記載の不揮発性メモリーカードとの相対的な位置ずれを防止するためのストッパーが、メモリーカード本体の凹みに対応して、内側面に形成されることを特徴とする形状変換アダプタである。
【発明の効果】
【００２３】
本発明に係るメモリーカード及び形状変換アダプタを利用することにより、一つのメモリーカードを，安全且つ容易に、複数の種類のホスト装置にて利用することができる。
【発明を実施するための最良の形態】
【００２４】
以下において、図面を参照しつつ本発明に係る好適な実施形態を説明する。
【００２５】
＜第１の実施形態＞
図１は、本発明の第１の実施形態に係る不揮発性メモリーカード２の平面図である。第１の実施形態に係る不揮発性メモリーカード２はエックスディピクチャーカード（以下、ＸＤカードと言う。）の形状を有しており、メモリーカードを構成する一つの平面上にＸＤカードインターフェース６を備えている。
【００２６】
更に、第１の実施形態に係る不揮発性メモリーカード２は、ＸＤカードインターフェース６が備わる平面の裏平面に、ＳＤカードのためのインターフェースとメモリースティック（以下、ＭＳと言う。）のためのインターフェースを備える。ＳＤカードのためのインターフェースとＭＳのためのインターフェースは、ＳＤ・ＭＳインターフェース４として共通部分で構成されている。
【００２７】
以下では、ＳＤ・ＭＳインターフェース４が備わる面を便宜上「上面」とし、ＸＤカードインターフェースが備わる面を「下面」とする。ただし、これらのことにより本発明の内容が限定されるものではない。また、以下では、カードや形状変換アダプタの形状、及びメモリーカードのインターフェースとして、ＸＤカード、ＳＤカード、及びＭＳのものを採り上げて説明を進めている。勿論、これらのカードや形状変換アダプタの形状、及びメモリーカードのインターフェースは、本発明の本質を明らかにするための例に過ぎない。従って、他のカード形状、形状変換アダプタの形状、及びインターフェースの組み合わせに対しても、本発明を利用し得る。
【００２８】
第１の実施形態に係る不揮発性メモリーカード２の形状は、前述のようにＸＤカードと互換性を有している。従って、図１における下方にＸＤカード用スロット（図示せず。）の備わるホスト装置を設けて、不揮発性メモリーカード２を該ＸＤカード用スロットに挿入すれば、不揮発性メモリーカード２はＸＤカード用スロットの備わるホスト装置とデータ伝送できる。
【００２９】
更に、前述のように第１の実施形態に係る不揮発性メモリーカード２の上面にはＳＤ・ＭＳインターフェース４が備わっている。従って、図１における左方に、ＳＤカードの形状又はＭＳの形状のいずれかを有する形状変換アダプタを設けて挿入し、その形状変換アダプタを、ＳＤカード用スロット又はＭＳ用スロットの備わるホスト装置に挿入すれば、不揮発性メモリーカード２は該ホスト装置とデータ伝送できる（図９（１）（２）参照）。ここで、ＳＤ・ＭＳインターフェース４の方向は、ＸＤカードインターフェース６の方向と直交する方向であるから、不揮発性メモリーカード２がＸＤカード用スロットに挿入する方向と、不揮発性メモリーカード２が形状変換アダプタに挿入する方向は、直交することになる（図２参照）。
【００３０】
なお、ＳＤ・ＭＳインターフェース４がＸＤカードインターフェース６と異なる面に形成されつつも、ＳＤ・ＭＳインターフェース４の方向が、ＸＤカードインターフェース６の方向と並行する方向であってもよい。このときは、図１における下方にＳＤカードの形状又はＭＳの形状のいずれかを有する形状変換アダプタが設けられ、そこに不揮発性メモリーカード２が挿入され、その上で形状変換アダプタがホスト装置に挿入されて、不揮発性メモリーカード２がホスト装置とデータ伝送することになる。以下では、図１のように、ＳＤ・ＭＳインターフェース４がＸＤカードインターフェース６と異なる面に形成され、且つ、ＳＤ・ＭＳインターフェース４の方向が、ＸＤカードインターフェース６の方向と直交する方向である形態を採り上げて、説明を進める。
【００３１】
図２は、本発明の第１の実施形態に係る不揮発性メモリーカード２の概略の内部回路図である。不揮発性メモリーカード２の内部には、不揮発性メモリ８が設けられる。不揮発性メモリ８は、ＳＤ・ＭＳインターフェース４からのアクセス（１６、１８）を、ＳＤコントローラ１０により又はＭＳコントローラ１２によりコントロールされる。また、不揮発性メモリ８は、ＸＤインターフェース６からのアクセス２０を、ＸＤコントローラ１４によりコントロールされる。
【００３２】
図３は、本発明の第１の実施形態に係る不揮発性メモリーカード２のインターフェース切替スイッチを伴う内部回路図である。不揮発性メモリーカード２には、ＭＳのためのインターフェースとＸＤインターフェースとを切り替えるＭＳ／ＸＤインターフェース切替スイッチ２２と、ＳＤカードのためのインターフェースとＸＤインターフェースとを切り替えるＳＤ／ＸＤインターフェース切替スイッチ２４が備わる。これら切替スイッチ（２２、２４）に対しては、図９に示すように、形状変換アダプタ（３０、６０）により切替が為されるように構成されている。
【００３３】
まず、図９（１）に示すように、ＳＤカードの形状を有するＳＤカード変換アダプタ３０にはＳＤ／ＸＤインターフェース切替スイッチ選択器５４が備わる。ＳＤカード変換アダプタ３０に不揮発性メモリーカード２が挿入されると、ＳＤ／ＸＤインターフェース切替スイッチ２４とＳＤ／ＸＤインターフェース切替スイッチ選択器５４との相互の作用により、ＳＤコントローラ１０のみが動作するようになる。更に、図９（２）に示すように、ＭＳの形状を有するＭＳ変換アダプタ６０にはＭＳ／ＸＤインターフェース切替スイッチ選択器５６が備わる。ＭＳ変換アダプタ６０に不揮発性メモリーカード２が挿入されると、ＭＳ／ＸＤインターフェース切替スイッチ２２とＭＳ／ＸＤインターフェース切替スイッチ選択器５６との相互の作用により、ＭＳコントローラ１２のみが動作するようになる。また、図９（３）に示すように、不揮発性メモリーカード２を形状変換アダプタに挿入しない状態では、ＸＤコントローラ１４のみが動作するように回路が構成されている。
【００３４】
従って、本発明の第１の実施形態に係る不揮発性メモリーカード２では、利用の態様に応じて適切なコントローラ回路が動作するように構成されている。
【００３５】
図４は、本発明の第１の実施形態に係る不揮発性メモリーカード２の上面図（ａ）及び側面図（ｂ）である。図４（ｂ）に示すように、ＳＤ・ＭＳインターフェース４の接触部分及び端部２６は、不揮発性メモリーカード２の上面から窪んだ面にあることが好ましい。このようにすることで、ＸＤカード用スロットに挿入された場合に、ＳＤ・ＭＳインターフェース４の接触部分がＸＤカード用スロット内部の金属部分等に不必要に接することが防止される。
【００３６】
図６は、本発明の第１の実施形態に係る不揮発性メモリーカード２の別の態様の上面図（ａ）及び側面図（ｂ’）（ｂ）である。なお図６（ｂ’）は、上記図４（ｂ）と同じものである。ここで、図６（ｂ）に示すように、ＳＤ・ＭＳインターフェース４の接触部分が不揮発性メモリーカード２の上面から窪んでおり、ＳＤ・ＭＳインターフェース４接触部分の端部３６が上面と面一であってもよい。このようにすることで、不揮発性メモリーカード２全体の強度が保持される。また、不揮発性メモリーカード２の形状変換アダプタ（３０、６０）への挿入時には、窪み部分と（窪んでいない）端部との段差を鉤として利用することができる。このとき、不揮発性メモリーカード２が形状変換アダプタ（３０、６０）から不意に抜けることが防がれる。
【００３７】
図５は、本発明の第１の実施形態に係る不揮発性メモリーカード２の更に別の態様の上面図である。図５（１）（２）に示すように、当該不揮発性メモリーカード２のＳＤ・ＭＳインターフェース４には保護板３２が備わる。保護板３２は、不揮発性メモリーカード２上面でスライドしてＳＤ・ＭＳインターフェース４を露出させたり（図５（１）参照）隠蔽したり（図５（２）参照）する。保護板３２は、手動でスライドするものであってもよい。また、保護板３２は、不揮発性メモリーカード２が形状変換アダプタ（３０、６０）に挿入されたときに形状変換アダプタ（３０、６０）の内部構造により、スライドされてＳＤ・ＭＳインターフェース４を露出せしめ（図５（１）参照）、不揮発性メモリーカード２が形状変換アダプタ（３０、６０）に挿入されていないときに保護板３２及び不揮発性メモリーカード２上面の構造により、ＳＤ・ＭＳインターフェース４を隠蔽するように付勢される（図５（２）参照）、というものであってもよい。
【００３８】
図７（１）（２）に示すように、本発明の第１の実施形態に係る不揮発性メモリーカード２は、形状変換アダプタ（３０、６０）に出入りする方向に略直交して、爪鉤用の凹み３８ａ、３８ｂが設けられてもよい。図７（１）は不揮発性メモリーカード２の上面であり、図７（２）は不揮発性メモリーカード２の下面である。この爪鉤用凹み３８ａ、３８ｂにより、形状変換アダプタ（３０、６０）への不揮発性メモリーカード２の出し入れが容易になる。
【００３９】
図８は、図７に示す爪鉤用凹み３８ａ、３８ｂを実効的に利用するための形状を備えるＳＤカード変換アダプタ３０を示している。図８のＳＤカード変換アダプタ３０では、挿入時に爪鉤用凹み３８ａ、３８ｂを露出させるための切込み５２ａ、５２ｂが設けられている。図８（１）はＳＤカード変換アダプタ３０の下面であり、図８（２）はＳＤカード変換アダプタ３０の上面である。この切り込み５２ａ、５２ｂは、挿入時に爪鉤用凹み３８ａ、３８ｂ及びその近傍を露出させる大きさであればよい。なお、図８にはＳＤカード変換アダプタ３０を示したが、ＭＳ変換アダプタ６０にも、図８のような切り込みが設けられてもよい。
【００４０】
＜第２の実施形態＞
図１０（２）は、本発明の第２の実施形態に係る不揮発性メモリーカード２の平面図（下面図）である。なお、第２の実施形態に係るメモリーカードは、第１の実施形態に係るメモリーカードと略同様のものである。従って、同一部位には同一符号を付して説明を省略する。
【００４１】
図１０（１）は、比較対比のための従来のＸＤカードの平面図である。従来のＸＤカードでは、ＸＤインターフェース６の設けられている平面において、ＸＤインターフェース６の存する端部と対向する端部に、爪鉤用突起４０’が標準的に設けられている。この爪鉤用突起４０’は、ＸＤインターフェース６の着脱を助ける部位である。このＸＤカード形状のメモリーカードに図１に示すようなＳＤ・ＭＳインターフェース４を設け、図９（１）に示すようにＳＤカード変換アダプタに挿入しようとするならば、ＸＤカードに標準的に設けられる爪鉤用突起４０’が妨げになる。従って、図１２に示すＳＤカード変換アダプタ３０には、爪鉤用突起４０’を受け入れる切り込み５０’を設けるようにしている。
【００４２】
しかし、図１２に示すＳＤカード変換アダプタ３０では、切れ込み５０’が相当に大きいため、ＳＤカード変換アダプタ３０の強度が下がってしまう。そこで、本発明の第２の実施形態に係る不揮発性メモリーカード２では、図１０（２）に示すように、爪鉤用突起４０を縮小し、それに合わせて、本発明の第２の実施形態に係るＳＤカード変換アダプタ３０では、図１３（１）（２）に示すように、爪鉤用突起４０を受け入れる切り込み５０も小さいものにしている。図１３（２）は、ＳＤカード変換アダプタ３０へ不揮発性メモリーカード２を挿入する途中の平面（下面）図であり、図１３（１）は挿入後の平面（下面）図である。
【００４３】
図１３に示すＳＤカード変換アダプタ３０は、切り込み５０が（図１２の切り込み５０’に比べて）小さくなっているため、従来のＸＤカードが、本発明の第２の実施形態に係るＳＤカード変換アダプタ３０に誤って挿入されることを、回避できる。
【００４４】
図１０（３）は、本発明の第２の実施形態に係る不揮発性メモリーカード２の別の態様の平面図（下面図）である。図１０（３）に示す不揮発性メモリーカード２では爪鉤用突起が設けられていない。この不揮発性メモリーカード２に対応するＳＤカード変換アダプタ（図示せず。）には、図１１や図１２に示されるような切り込みを設ける必要がない。
【００４５】
図１１は、本発明の第２の実施形態に係る不揮発性メモリーカード２の更に別の態様の平面図（下面図）である。図１０（２）に示す不揮発性メモリーカード２のように爪鉤用突起４０を縮小すれば、それに対応するＳＤカード変換アダプタ３０の強度を増すことができるが、ＸＤカード用スロットへの出し入れ時の容易性・利便性は必ずしも向上しない。
【００４６】
そこで、不揮発性メモリーカード２において、爪鉤用突起を省いた部位若しくはその近傍に、凹み４２を設ける。これにより、不揮発性メモリーカード２のＸＤカード用スロットへの出し入れ時の容易性・利便性が、維持され得る。
【００４７】
＜第３の実施形態＞
図１４は、本発明の第３の実施形態に係る不揮発性メモリーカード２の平面図（上面図）である。また、図１５は、本発明の第３の実施形態に係る形状変換アダプタ（３０、６０）の平面図（上面図）である。なお、第３の実施形態に係るメモリーカードは、第１の実施形態に係るメモリーカードと略同様のものである。従って、同一部位には同一符号を付して説明を省略する。
【００４８】
第３の実施形態に係る不揮発性メモリーカード２には、形状変換アダプタ（３０、６０）との相対的な位置ずれを防止するためのストッパー用の凹み４４が設けられる。凹み４４は、図１４に示すように、形状変換アダプタ（３０、６０）の内側面と接する端部分に形成される。ストッパー４６は、凹み４４に対応するように、形状変換アダプタ（３０、６０）の内側面に設けられる。ストッパー４６は、柔軟性・弾性を有するのが好ましい。
【００４９】
図１４（２）及び図１５（２）は、挿入する途中の不揮発性メモリーカード２及び形状変換アダプタ（３０、６０）である。図１４（１）及び図１５（１）は、挿入された状態の不揮発性メモリーカード２及び形状変換アダプタ（３０、６０）である。挿入された状態では、柔軟性・弾性を備えるストッパー４６が凹み４４に嵌合している。このことにより、不揮発性メモリーカード２が形状変換アダプタ（３０、６０）から不意に抜けることが防止される。
【図面の簡単な説明】
【００５０】
【図１】本発明の第１の実施形態に係る不揮発性メモリーカードの平面図である。
【図２】本発明の第１の実施形態に係る不揮発性メモリーカードの概略の内部回路図である。
【図３】本発明の第１の実施形態に係る不揮発性メモリーカードのインターフェース切替スイッチを伴う内部回路図である。
【図４】本発明の第１の実施形態に係る不揮発性メモリーカードの上面図（ａ）及び側面図（ｂ）である。
【図５】本発明の第１の実施形態に係る不揮発性メモリーカードの更に別の態様の上面図である。
【図６】本発明の第１の実施形態に係る不揮発性メモリーカードの別の態様の上面図（ａ）及び側面図（ｂ’）（ｂ）である。
【図７】形状変換アダプタに出入りする方向に略直交して、爪鉤用の凹みが設けられた、本発明の第１の実施形態に係る不揮発性メモリーカードの上面図（１）及び下面図（２）である。
【図８】図７に示す爪鉤用凹みを実効的に利用するための形状を備えるＳＤカード変換アダプタである。
【図９】形状変換アダプタを伴う、本発明の第１の実施形態に係る不揮発性メモリーカードのインターフェース切替スイッチを伴う内部回路図である。
【図１０】本発明の第２の実施形態に係る不揮発性メモリーカードの平面図（下面図）である。
【図１１】本発明の第２の実施形態に係る不揮発性メモリーカードの更に別の態様の平面図（下面図）である。
【図１２】爪鉤用突起を受け入れる切り込みを設けるようにしているＳＤカード変換アダプタである。
【図１３】図１０（２）に示す不揮発性メモリーカードを受け入れるＳＤカード変換アダプタである。
【図１４】本発明の第３の実施形態に係る不揮発性メモリーカードの平面図（上面図）である。
【図１５】本発明の第３の実施形態に係る形状変換アダプタの平面図（上面図）である。
【符号の説明】
【００５１】
２・・・不揮発性メモリーカード、４・・・ＳＤ・ＭＳインターフェース、６・・・ＸＤカードインターフェース、８・・・不揮発性メモリ、３０・・・ＳＤカード変換アダプタ、３２・・・保護板、４０・・・爪鉤用突起、４４・・・凹み、４６・・・ストッパー、５０・・・切り込み、６０・・・ＭＳ変換アダプタ。
【図１】
2007011708.tif 000003
【図２】
2007011708.tif 000004
【図３】
2007011708.tif 000005
【図４】
2007011708.tif 000006
【図５】
2007011708.tif 000007
【図６】
2007011708.tif 000008
【図７】
2007011708.tif 000009
【図８】
2007011708.tif 000010
【図９】
2007011708.tif 000011
【図１０】
2007011708.tif 000012
【図１１】
2007011708.tif 000013
【図１２】
2007011708.tif 000014
【図１３】
2007011708.tif 000015
【図１４】
2007011708.tif 000016
【図１５】
2007011708.tif 000017